(57)【要約】【課題】  表示画像を視認しやすく、且つ安定した操作が可能な電子機器を提供する。【解決手段】  テレビ電話１００は、底面２と、底面２に略垂直な背面３と、底面２及び背面３に対して傾斜して形成した正面１とを有する筐体４を備え、筐体４の正面１に画像表示部５とタッチパネル６とが設けられ、正面１は、底面２に対する傾斜角度Ａ２が背面３に対する傾斜角度Ａ３よりも大きくなるように傾斜して形成され、底面２の奥行寸法Ｄ２は、背面３の高さ寸法Ｄ３よりも短い。【選択図】  図２
2006339914.tif 000002
【特許請求の範囲】
【請求項１】
底面と、前記底面に略垂直な背面と、前記底面及び前記背面に対して傾斜して形成した正面とを有する筐体を備え、
前記筐体の正面に画像表示部と操作部とが設けられ、
前記正面は、前記底面に対する傾斜角度が前記背面に対する傾斜角度よりも大きくなるように傾斜して形成されることを特徴とする電子機器。
【請求項２】
前記底面の奥行寸法は、前記電子機器の高さ寸法よりも短い請求項１記載の電子機器。
【請求項３】
前記背面が下向きになる横置き状態を検出する横置き検出手段と、
前記横置き検出手段による検出結果に応じて、前記画像表示部に表示される画像の上下左右を反転させる表示反転コントローラとをさらに備える請求項１記載の電子機器。
【請求項４】
前記操作部は、前記画像表示部を覆うように設けたタッチパネルを含み、
前記タッチパネルの検出座標を前記正面の傾斜方向に沿って補正する検出座標補正部をさらに備え、
前記検出座標補正部は、前記横置き検出手段による検出結果に応じて、前記タッチパネルの検出座標の補正量を変更する請求項３記載の電子機器。
【請求項５】
前記背面に設けられた取っ手をさらに備え、
前記取っ手は、前記背面が下向きになる横置き状態を検出する横置き検出スイッチとして動作する請求項１記載の電子機器。
【請求項６】
前記取っ手は、前記背面に形成した凹部から前記底面側への斜め方向に向かって一部突出する開位置と、前記背面に沿って前記凹部内に収容される閉位置との間で回動可能に設けられ、前記閉位置から前記開位置への方向に向かって弾性部材により付勢されている請求項５記載の電子機器。
【請求項７】
前記画像表示部には、相手側テレビ電話から受信した画像が表示され、
前記画像に同期した音声を出力するスピーカと、
前記正面に設けられて相手側テレビ電話に送信するための画像を撮像するカメラと、
相手側テレビ電話に送信するための音声を入力するマイクユニットとをさらに備え、
テレビ電話として動作する請求項１記載の電子機器。
【請求項８】
前記マイクユニットは、指向性マイクを含み、
前記背面が下向きになる横置き状態を検出する横置き検出手段と、
前記横置き検出手段による検出結果に応じて、前記指向性マイクの指向性を規定する指向性パラメータを変更するマイクコントローラとをさらに備える請求項７記載の電子機器。
【請求項９】
前記背面が下向きになる横置き状態を検出する横置き検出手段と、
前記横置き検出手段により前記横置き状態が検出されたときは、前記カメラにより撮像した画像の上下左右を反転させて相手側テレビ電話に送信する送信部とをさらに備える請求項７記載の電子機器。
【発明の詳細な説明】
【技術分野】
【０００１】
本発明は、電子機器に関し、特に画像表示部と操作部とを正面に設けた電子機器に関する。
【背景技術】
【０００２】
画像表示部と操作部とを正面に設けたテレビ電話が従来から知られている（例えば、非特許文献１、非特許文献２参照）。このテレビ電話は、板状ベース部材の一端に急な角度で後方に傾斜して取り付けたパネル部材の正面に、タッチパネル付液晶ディスプレイ、カメラ、スピーカ及びマイクが設けられ、例えば机の上に載置して使用される。パネル部材の正面に設けられた液晶ディスプレイに表示されたソフトキーをペン型入力器等によりタッチして操作することにより、キーボード、マウス等を使わずにテレビ電話を操作することができる。またペン型入力器等によりソフトキーをタッチして電話帳情報等を登録することができる。
【０００３】
また、タッチパネルによる手書き入力モードが設定されたときに、表示データを上下左右反転して表示器に表示する情報処理装置が知られている（特許文献１参照）。この情報処理装置は、情報処理を行うＣＰＵおよび表示データを記憶するＶＲＡＭを内蔵する本体と、この本体に回動可能に取り付けられた表示器と、この表示器に装着されるタッチパネルからの信号を検知してＣＰＵに出力するタッチパネルコントローラと、タッチパネルによる手書き入力モードを設定する手書き設定手段と、この手書き設定手段により手書き入力モードが設定されたとき、ＶＲＡＭの表示データを上下左右反転して表示器に表示する表示コントローラを備える。
【０００４】
このようにＶＲＡＭの表示データを上下左右反転して表示器に表示することができるので、この表示状態のまま、通常のパソコン操作時とは逆に表示器を手前側に水平にして置くことにより、使用者が見る表示データの配置、方向は正常になり、この状態でタッチパネルにより入力する。このとき、キーの設けられた本体は邪魔にならないし、タッチパネルの装着された表示器を机等に水平に置いてペン型入力器で入力することができる。
【特許文献１】特開平４−８４２１４号公報（第１図（ｂ）、平成４年（１９９２）３月１７日公開）
【非特許文献１】“通信機器オンラインショップ”、フレッツフォンＶＰ１０００、[ｏｎｌｉｎｅ]、ＮＴＴ東日本、[平成１７年５月１９日検索]、インターネット＜ＵＲＬ：http://www.ntt-east.co.jp/ced/goods/vp1000/＞
【非特許文献２】“Ｎｅｗｓ  Ｒｅｌｅａｓｅ  フレッツサービスに対応した新たなＩＰテレビ電話端末「フレッツフォンＶＰ１０００」の販売開始について”、[ｏｎｌｉｎｅ]、平成１６年７月２０日、ＮＴＴ東日本、[平成１７年５月１９日検索]、インターネット＜ＵＲＬ：http://www.ntt-east.co.jp/release/0407/040720b.html#01＞
【発明の開示】
【発明が解決しようとする課題】
【０００５】
しかしながら、上記非特許文献１及び２の構成では、タッチパネル付液晶ディスプレイを設けたパネル部材が、机等の表面に対して急な角度で傾斜して配置されるため、略水平方向に向かってペン型入力器等により圧力を加えることとなるが、略下方向への押圧に比べて略水平方向へは押圧しにくく、また押圧するとテレビ電話全体が後方にずれてしまうおそれもあり、タッチパネルに圧力を加えにくく、安定したタッチパネル操作を行うことが困難であるという問題がある。
【０００６】
また特許文献１の構成では、表示器を机等に水平に置く構成であるため、表示データが垂直上方に向かって表示されるので、斜め上方から表示器を見る操作者にとって、表示データが見にくくなり、安定したタッチパネル操作がしにくいという問題がある。
【０００７】
本発明は、上記の問題点に鑑みてなされたものであり、その目的は、表示画像を視認しやすく、且つ安定した操作が可能な電子機器を提供することにある。
【課題を解決するための手段】
【０００８】
本発明に係る電子機器は、上記課題を解決するために、底面と、前記底面に略垂直な背面と、前記底面及び前記背面に対して傾斜して形成した正面とを有する筐体を備え、前記筐体の正面に画像表示部と操作部とが設けられ、前記正面は、前記底面に対する傾斜角度が前記背面に対する傾斜角度よりも大きくなるように傾斜して形成されることを特徴とする。
【０００９】
上記の構成によれば、筐体の正面は、底面に対する傾斜角度が背面に対する傾斜角度よりも大きくなるように傾斜して形成される。このため、底面に対して４５度よりも大きい角度で傾斜する正面の画像表示部に表示された表示画像が、遠方からでも視認しやすいのみならず、背面が下向きになる横置き状態に電子機器を倒して上向きになった正面の画像表示部は、下向きになった背面に対して４５度よりも小さい緩やかな角度で傾斜するので、表示画像を斜め上方から視認しやすい角度であって、且つ操作部を斜め上方から安定して操作するのに適した角度に配置される。この結果、表示画像を視認しやすく、且つ安定した操作が可能な電子機器を提供することができる。
【００１０】
前記底面の奥行き寸法は、前記電子機器の高さ寸法よりも短いことが好ましい。
【００１１】
この構成によれば、背面が下向きになる横置き状態に電子機器を倒すことが容易であり、また省スペースを実現することができ、写真立てのイメージで棚の上等にインテリアのように置いて使用することができる。
【００１２】
前記背面が下向きになる横置き状態を検出する横置き検出手段と、前記横置き検出手段による検出結果に応じて、前記画像表示部に表示される画像の上下左右を反転させる表示反転コントローラとをさらに備えることが好ましい。
【００１３】
この構成によれば、横置き検出手段が、背面が下向きになる横置き状態を検出し、表示反転コントローラが、横置き検出手段による検出結果に応じて、画像表示部に表示される画像の上下左右を反転させるので、電子機器を横置き状態に倒したときに、表示画像を自動的に反転させることができる。このため、横置き状態において、傾斜した正面の画像表示部を底面の反対側から見るときに、上下左右反転した画像が表示されることを自動的に防止できる。
【００１４】
前記操作部は、前記画像表示部を覆うように設けたタッチパネルを含み、前記タッチパネルの検出座標を前記正面の傾斜方向に沿って補正する検出座標補正部をさらに備え、前記検出座標補正部は、前記横置き検出手段による検出結果に応じて、前記タッチパネルの検出座標の補正量を変更することが好ましい。
【００１５】
この構成によれば、画像表示部を覆うように設けたタッチパネルにおける検出座標を正面の傾斜方向に沿って補正する検出座標補正部は、横置き検出手段による検出結果に応じて、タッチパネルの検出座標の補正量を変更する。正面が傾斜していると、ユーザがペンタッチをしようとする座標位置（ユーザの目線と画像表示部の表面との交点）と、実際に画像表示部が反応して検出される座標位置（ユーザの目線とタッチパネルの表面との交点の真下の位置）とがずれるため、タッチパネルに対する目線の角度に応じて検出座標位置を補正しているが、目線の角度が縦置き状態と横置き状態とで異なるので、タッチパネルの検出座標位置の補正量を変更することにより、タッチパネルの検出座標を電子機器の載置状態に応じて適切に補正することができる。このため、縦置き状態と横置き状態との双方においてユーザストレスのないペンタッチ検出が可能になる。
【００１６】
前記背面に設けられた取っ手をさらに備え、前記取っ手は、前記背面が下向きになる横置き状態を検出する横置き検出スイッチとして動作することが好ましい。
【００１７】
この構成によれば、背面に設けられた取っ手が、背面が下向きになる横置き状態を検出する横置き検出スイッチとして動作する。従って、横置き検出スイッチを、電子機器を持ち運ぶための取っ手と兼用することができる。
【００１８】
前記取っ手は、前記背面に形成した凹部から前記底面側への斜め方向に向かって一部突出する開位置と、前記背面に沿って前記凹部内に収容される閉位置との間で回動可能に設けられ、前記閉位置から前記開位置への方向に向かって弾性部材により付勢されていることが好ましい。
【００１９】
この構成によれば、背面に沿って凹部内に収容される閉位置から、凹部から底面側への斜め方向に向かって一部突出する開位置への方向に向かって弾性部材により付勢された取っ手が、開位置と閉位置との間で回動可能になる。従って、電子機器を横置き状態に倒すと、取っ手は開位置から閉位置へ回動して横置き検出スイッチとして動作する。その結果、簡単な構成により横置き検出スイッチを取っ手と兼用することができる。
【００２０】
前記画像表示部には、相手側テレビ電話から受信した画像が表示され、前記画像に同期した音声を出力するスピーカと、前記正面に設けられて相手側テレビ電話に送信するための画像を撮像するカメラと、相手側テレビ電話に送信するための音声を入力するマイクユニットとをさらに備え、テレビ電話として動作することが好ましい。
【００２１】
この構成によれば、画像表示部は相手側テレビ電話から受信した画像を表示し、スピーカは上記画像に同期した音声を出力し、正面に設けられたカメラは相手側テレビ電話に送信するための画像を撮像し、マイクユニットは相手側テレビ電話に送信するための音声を入力して、電子機器がテレビ電話として動作する。画像表示部は、テレビ電話の画像を前方から見るのに適した角度に配置されるのみならず、横置きに倒した状態では、テレビ電話の電話帳情報を入力するために上方から操作部を操作するのに適した角度に配置される。この結果、縦置き状態において画像を視認しやすいのみならず、横置き状態にして安定した操作により電話帳情報を入力することができるテレビ電話を提供することができる。
【００２２】
前記マイクユニットは、指向性マイクを含み、前記背面が下向きになる横置き状態を検出する横置き検出手段と、前記横置き検出手段による検出結果に応じて、前記指向性マイクの指向性を規定する指向性パラメータを変更するマイクコントローラとをさらに備えることが好ましい。
【００２３】
この構成によれば、マイクユニットが指向性マイクを含み、横置き検出手段は背面が下向きになる横置き状態を検出し、マイクコントローラは、横置き検出手段による検出結果に応じて、指向性マイクの指向性を規定する指向性パラメータを変更する。このため、縦置き状態と横置き状態とで指向性マイクの指向性を自動的に変更することができる。ユーザのテレビ電話の利用シーンでは、横置き状態で使用するときの方が、縦置き状態で使用するときよりも、正面方向に対して大きく傾斜した方向から話すと考えられるため、横置き状態で使用するときに、マイク検出が可能な正面方向の角度を広げることにより、縦置き状態及び横置き状態というユーザの利用シーンに応じてマイクを制御することができる。
【００２４】
前記背面が下向きになる横置き状態を検出する横置き検出手段と、前記横置き検出手段により前記横置き状態が検出されたときは、前記カメラにより撮像した画像の上下左右を反転させて相手側テレビ電話に送信する送信部とをさらに備えることが好ましい。
【００２５】
この構成によれば、背面が下向きになる横置き状態が検出されたときは、カメラにより撮像した画像の上下左右が反転し、相手側テレビ電話に送信される。横置きにテレビ電話を倒して、傾斜した正面に面した側から通話する通話者をカメラにより撮像して上下左右が反転した画像を、再び上下左右反転させて送信することにより、相手側テレビ電話は受信画像をそのまま上下左右正しく表示することができる。
【発明の効果】
【００２６】
本発明に係る電子機器によれば、筐体の正面は、底面に対する傾斜角度が背面に対する傾斜角度よりも大きくなるように傾斜して形成される。このため、底面に対して４５度よりも大きい角度で傾斜する正面の画像表示部に表示された表示画像が、遠方からでも視認しやすいのみならず、背面が下向きになる横置き状態に電子機器を倒して上向きになった正面の画像表示部は、下向きになった背面に対して４５度よりも小さい緩やかな角度で傾斜するので、表示画像を斜め上方から視認しやすい角度であって、且つ操作部を斜め上方から安定して操作するのに適した角度に配置される。この結果、表示画像を視認しやすく、且つ安定した操作が可能な電子機器を提供することができる。
【発明を実施するための最良の形態】
【００２７】
図１は、本実施形態に係るテレビ電話１００の外観を示す正面図である。図２は、その左側面図であり、図３は右側面図であり、図４は背面図である。図５はテレビ電話１００の横置き状態での斜視図であり、図６はテレビ電話１００の構成を示すブロック図である。
【００２８】
テレビ電話１００は、筐体４を備える。筐体４は、略長方形状の底面２と、底面２に略垂直な略長方形状の背面３と、底面２及び背面３に対して傾斜して形成した略長方形状の正面１と、略縦長台形形状をした左側面３１及び右側面３２と、略長方形状の天面２１とを有する。
【００２９】
正面１は、底面２に対する傾斜角度Ａ２が背面３に対する傾斜角度Ａ３よりも大きくなるように傾斜して形成される。傾斜角度Ａ２は例えば６５度以上７０度以下であり、傾斜角度Ａ３は例えば２０度以上２５度以下である。底面２の奥行寸法Ｄ２は、テレビ電話１００の高さ寸法Ｄ３よりも短い。
【００３０】
筐体４の正面１には、液晶表示パネルにより構成した画像表示部５と、画像表示部５を覆うように形成したタッチパネル６とが設けられる。
【００３１】
正面１には、相手側テレビ電話（図示せず）に送信するための画像を撮像するカメラ１４と、相手側テレビ電話に送信するための音声を入力するマイクユニット１５とがさらに設けられる。マイクユニット１５は、指向性マイク１６と無指向性マイク１７とを含む（図６）。
【００３２】
画像表示部５は、相手側テレビ電話から受信した画像を表示する主画面２２と、カメラ１４により撮像された画像を表示する子画面２３とを有する。主画面２２に表示された受信画像に同期する音声を出力するスピーカ１３がさらに正面１に設けられる。タッチパネル６による入力タッチ操作のために複数個のタッチパネルボタン２４が画像表示部５の上下端にそれぞれ表示される。
【００３３】
筐体４の背面３の略中央には凹部１１が形成される。凹部１１には、幅広の板状取っ手７が、底面２側への斜め方向に向かって凹部１１から一部突出する開位置(図２、図３)と、背面３に沿って凹部１１内に収容される閉位置（図示せず）との間で回動軸１２の回りに回動可能に設けられ、閉位置から開位置への矢印３４の方向に向かってばね等の弾性部材（図示せず）により付勢されている。この取っ手７は、背面３が下向きになる横置き状態（後述する図１０）に筐体４を倒したときは、開位置から閉位置に回動して横置き状態を検出し、横置き状態から縦置き状態に戻したときは閉状態から開状態に復帰する横置き検出スイッチとして動作する。
【００３４】
筐体４の右側面３２には、スピーカ１３から出力される音量を調整する音量調整つまみ２６と、テレビ電話１００の電源をオンオフする電源スイッチ２７と、メモリカードを装着するためのスロット２８と、電源に電力を供給するコードを接続するための電源端子２９と、映像音声情報を入力するためのＡＶ入力端子３０とが設けられる。
【００３５】
図６を参照すると、テレビ電話１００は、メインコントローラ２１を備える。メインコントローラ２１は、テレビ電話１００の全体の動作を制御する。
【００３６】
テレビ電話１００には、表示反転コントローラ８が設けられる。表示反転コントローラ８は、横置き検出スイッチ（取っ手７）による検出結果に応じて、画像表示部５に表示される画像の上下左右を反転させる。
【００３７】
図３を参照すると、筐体４の右側面３２には、画面反転スイッチ２５が設けられる。画面反転スイッチ２５は、画像表示部５に表示される画像の上下左右を手動によって反転させるために設けられ、表示反転コントローラ８が底面２側を下にして画像表示部５に画像を表示するための第１手動モードと、表示反転コントローラ８が底面２側を上にして画像を表示するための第２手動モードと、横置き検出スイッチ（取っ手７）による検出結果に応じて表示反転コントローラ８により画像の上下左右を反転させる自動モードとを切り換える。従って表示反転コントローラ８は、画面反転スイッチ２５により自動モードに切り換えられているときに、横置き検出スイッチ（取っ手７）による検出結果に応じて、画像表示部５に表示される画像の上下左右を反転させる。
【００３８】
テレビ電話１００は、送信部１９を備える。送信部１９は、カメラ１４により撮像した画像とマイクユニット１５により入力した音声とを相手側テレビ電話に送信する。横置き検出スイッチ（取っ手７）により横置き状態が検出されたときは、送信部１９は、カメラ１４により撮像した画像の上下左右を反転させて相手側テレビ電話に送信する。
【００３９】
テレビ電話１００には、受信部２０が設けられる。受信部２０は、相手側テレビ電話から画像及び音声を受信する。受信部２０により受信した画像は画像表示部５に表示され、受信した音声はスピーカ１３から出力される。
【００４０】
テレビ電話１００は、座標検出部１０と検出座標補正部９とを備える。座標検出部１０は、タッチパネル６が押圧された位置座標を検出する。検出座標補正部９は、座標検出部１０により検出されたタッチパネル６の検出座標を正面１の傾斜方向に沿って補正する。タッチパネル６の検出座標の補正量は、横置き検出スイッチ（取っ手７）の検出結果に応じて変更される。具体的な補正方法は後述する。
【００４１】
テレビ電話１００には、マイクコントローラ１８が設けられる。マイクコントローラ１８は、横置き検出スイッチ（取っ手７）の検出結果に応じて、指向性マイク１６の指向性を規定する指向性パラメータを変更する。
【００４２】
図７はテレビ電話１００を縦置き状態にしたときのマイクの検出範囲を示す図であり、図８は横置き状態にしたときのマイクの検出範囲を示す図である。
【００４３】
前述したようにマイクユニット１５には指向性マイク１６と無指向性マイク１７とが搭載されており、指向性マイク１６と無指向性マイク１７とを組み合わせることにより、テレビ電話１００の正面１の所定範囲からの音声以外の音声を除去するように指向性マイク１６及び無指向性マイク１７が制御されている。具体的には、レベルが大きい（ｄＢ値が高い）音声を有効とし、レベルが小さい（ｄＢ値が低い）音声を雑音と判断して除去する。指向性マイク１６と無指向性マイク１７とを組み合わせると、指向性マイク１６の検出範囲と無指向性マイク１７の検出範囲とが重なり合う領域では、検出レベルが特に高くなるので、正面１の所定範囲からの音声以外の音声を適切に除去することができる。
【００４４】
ユーザのテレビ電話の利用シーンを考慮すれば、図７に示す縦置き時よりも図８に示す横置き時の方が、正面１に垂直な方向に対して大きく傾斜した方向から話すと考えられる。このため、横置き状態における指向性マイク１６の中心点４３を中心とする検出角度Ｃ２を、縦置き状態における検出角度Ｃ１よりも広げるように、指向性マイク１６の指向性パラメータを変更する。無指向性マイク１７の検出領域４２は、縦置き時と横置き時とで変更しなくてもよい。
【００４５】
図９は、テレビ電話１００の縦置きでの使用状態を説明するための側面図である。前述した構成要素と同一の構成要素には同一の参照符号を付し、その詳細な説明は省略する。後述する図面も同様である。
【００４６】
テレビ電話１００は、例えば、高さＨ１＝７４０ｍｍの机３５の上に、机３５の端から距離Ｌ１＝２００ｍｍ離して載置して使用される。画像表示部５を構成する液晶パネルの中心点３６を通る垂線４０に対して、液晶パネルの視野角Ｖ１＝５０度であり、視野角Ｖ２＝６０度である。机３５の前に座った状態での平均的な身長の使用者の目の位置を示す座視線位置３８の高さＨ２は約１１００ｍｍである。液晶パネルの中心点３６を座視線位置３８から見るときの目線が液晶パネルの垂線４０となす縦置き目線角度Ｂ２は液晶パネルの視野角Ｖ１よりも小さく、座視線位置３８は液晶パネルの視野角Ｖ１の範囲内に位置している。このため、縦置き状態のテレビ電話１００の液晶パネルを座視線位置３８において良好に視認することができる。
【００４７】
筐体４の正面１は、底面２に対する傾斜角度Ａ２が４５度よりも大きい急な角度で斜め後方に傾斜する。このため、正面１に設けられた画像表示部５に表示される画像は、遠方からでも視認しやすい。
【００４８】
カメラ１４の中心点３７を通る垂線に対するカメラ１４の視野角Ｖ３＝２０度であり、座視線位置３８はカメラ１４の視野角Ｖ３の範囲内に位置している。このため、座視線位置３８の通話者をカメラ１４により撮像することができる。
【００４９】
図１０は、テレビ電話１００の横置きでの使用状態を説明するための側面図である。テレビ電話１００は、机３５の上に、背面３を下向きにして天面２１を座視線位置３８側に向けた横置きにして使用される。正面１は、机３５の表面に対して角度Ａ３＝２０度以上２５度以下という緩やかな角度で傾斜する。このため、正面１に設けた画像表示部５に表示された画像を斜め上方から視認しやすく、タッチパネル６を斜め上方から安定して操作することができる。この結果、表示画像を視認しやすく、且つ安定した操作が可能になる。
【００５０】
横置き状態において、液晶パネルの中心点３６を座視線位置３８から見るときの目線が垂線４０となす横置き目線角度Ｂ３は、図７に示す縦置き状態のときと同様に、液晶パネルの視野角Ｖ１よりも小さく、座視線位置３８は、液晶パネルの視野角Ｖ１の範囲内に位置している。このため、横置き状態のテレビ電話１００の液晶パネルに表示された画像を座視線位置３８において良好に視認することができる。
【００５１】
図９に示す縦置き状態のときと同様に、座視線位置３８は横置き状態のカメラ１４の視野角Ｖ３の範囲内に位置している。このため、座視線位置３８の通話者を横置き状態のカメラ１４により撮像することができる。
【００５２】
机３５の前で立った状態での使用者の目の位置を示す立ち視線位置３９の高さＨ３は約１６５０ｍｍである。立ち視線位置３９は、横置き状態のテレビ電話１００に設けた液晶パネルの垂線４０上に位置するので、横置き状態のテレビ電話１００の液晶パネルに表示された画像を立ち視線位置３９においても良好に視認することができる。また立ち視線位置３９は横置き状態のカメラ１４の視野角Ｖ３の範囲内にも位置してので、立ち視線位置３９の通話者を横置き状態のカメラ１４により撮像することもできる。
【００５３】
図１１は、テレビ電話１００を縦置き状態にしたときのタッチパネル入力座標補正方法を説明するための断面図である。座視線位置３８の操作者の目線は、縦置き状態の画像表示部５に対する垂線４０に対して天面２１(図９)側に縦置き目線角度Ｂ２だけ傾斜している。座視線位置３８の操作者が、座視線位置３８からの目線が画像表示部５の表面と交差する目的点Ｙ２をタッチすることを意図して、タッチパネル６の表面と交差するタッチ点Ｐ２をペン型入力器等によりタッチすると、実際には、タッチ点Ｐ２の真下に位置する反応点Ｙ０がタッチされた点として座標検出部１０により検出される。従って、目的点Ｙ２と反応点Ｙ０との間に画像表示部５の底面２(図９)側に向かう傾斜方向４１に沿ったΔＹ２のずれが生じる。このため、検出座標補正部９は、ずれΔＹ２を下記の（式１）によって算出する。
【００５４】
ΔＹ２＝Ｔ×ｔａｎ（Ｂ２）  …（式１）、
ここで、Ｔは、タッチパネル６の厚み（タッチ点Ｐ２から反応点Ｙ０までの距離）である。
【００５５】
そして検出座標補正部９は、算出したずれΔＹ２を補正量として反応点Ｙ０の座標を目的点Ｙ２の座標に補正する。
【００５６】
図１２は、テレビ電話１００を横置き状態にしたときのタッチパネル入力座標補正方法を説明するための断面図である。横置き状態においては、座視線位置３８の操作者の目線は、画像表示部５に対する垂線４０に対して天面２１(図１０)側に横置き目線角度Ｂ３だけ傾斜している。座視線位置３８の操作者が、目的点Ｙ３をタッチすることを意図して、タッチ点Ｐ２をタッチすると実際には反応点Ｙ０が検出される。従って、目的点Ｙ３と反応点Ｙ０との間に底面２(図１０)側に向かう画像表示部５の傾斜方向４１に沿ったΔＹ３のずれが生じる。このため、検出座標補正部９は、ずれΔＹ３を下記の（式２）によって算出する。
【００５７】
ΔＹ３＝Ｔ×ｔａｎ（Ｂ３）  …（式２）、
そして検出座標補正部９は、算出したずれΔＹ３を補正量として反応点Ｙ０の座標を目的点Ｙ３の座標に補正する。
【００５８】
図１３は、テレビ電話に印刷されたアイコンを説明するための図である。筐体４の正面１の上側には、天面２１に設けられたボタン４７、４８及び４９を示すアイコン４４、４５及び４６がそれぞれ印刷表示される。
【００５９】
画像表示部５に表示される画像の上下左右を反転させると、画像表示部５以外の領域に印刷した印刷表示は反転しないので、印刷表示の表示方向と画像表示部５の表示画像の表示方向とが互いに逆になり得る。このため、印刷表示は、文字列により構成するのではなく、上下いずれの方向から見ても直ちに理解できるようなデザインのアイコン４４、４５及び４６によって構成する。アイコン４４は受話器の形状を斜め方向にして表示しており、電話アプリケーションを起動するためのボタン４７に対応するアイコンである。アイコン４５はアプリケーションを選択するメニューを画面表示部５に表示するためのボタン４８に対応するアイコンであり、アイコン４６はファーストダイヤルという、設定された固定番号に対して緊急にテレビ電話をかけるためのボタン４９に対応するアイコンである。
【００６０】
このように構成されたテレビ電話１００の動作を説明する。テレビ電話１００を縦置き状態で机上に載せ、タッチパネルボタン２４を操作して相手方テレビ電話に通信により接続すると、受信部２０により相手方テレビ電話から受信した受信画像が正面１に設けた画像表示部５の主画面２２に表示され、相手方テレビ電話から受信部２０により受信した受信音声がスピーカ１３から出力される。正面１のカメラ１４により撮像された画像及び正面１のマイクユニット１５に入力された音声は、送信部１９により相手方テレビ電話へ送信される。またカメラ１４の撮像画像は画像表示部５の子画面２３に表示される。
【００６１】
正面１の傾斜角度Ａ２は６５度以上７０度以下であるため、画像表示部５は急な角度で斜め後方に傾斜する。このため、遠方からでも表示画像を視認しやすい。
【００６２】
背面３の取っ手７は、底面２側への斜め方向に向かって凹部１１から一部突出する開位置(図２、図３)において、閉位置から開位置への矢印３４の方向に向かってばねにより付勢されている。このため、この取っ手７を手の指に引っ掛けてテレビ電話１００を持ち運ぶことができる。
【００６３】
次に、背面３が下向きになる横置き状態にテレビ電話１００を倒すと、横置き検出スイッチとして動作する取っ手７は、机の表面に当接して、背面３に沿って凹部１１内に収容される閉位置まで矢印３５の方向に向かってばねの付勢力に抗して回動軸１２の回りに回動し、スイッチ（図示せず）が取っ手７により押されてオンとなることにより横置き状態が検出される。底面２の奥行き寸法Ｄ２が、テレビ電話１００の高さ寸法Ｄ３よりも短いので、容易にテレビ電話１００を倒すことができる。
【００６４】
横置き検出スイッチとして動作する取っ手７により横置き状態が検出されると、表示反転コントローラ８は、画像表示部５に表示される画像の上下左右を反転させる。具体的には表示反転コントローラ８は、相手側テレビ電話から受信して主画面２２に表示される受信画像の表示方向を反転させ、タッチパネルボタン２４の表示位置及び表示方向を反転させ、カメラ１４の撮像画像を表示する子画面２３の表示位置を反転させる。テレビ電話１００を横置き状態にして撮像するときには、図５に示すようにカメラ１４自身も反転しているため、表示反転コントローラ８は、子画面２３に表示するカメラ１４の撮像画像は反転させない。
【００６５】
また検出座標補正部９は、横置き状態が検出されると、座標検出部１０により検出されたタッチパネル６の検出座標を補正するための補正量の算出式を、縦置き状態における算出式、
ΔＹ２＝Ｔ×ｔａｎ（Ｂ２）  …（式１）、
から、横置き状態における算出式、
ΔＹ３＝Ｔ×ｔａｎ（Ｂ３）  …（式２）、
に変更する。
【００６６】
またマイクコントローラ１８は、横置き状態が検出されると、指向性マイク１６の指向性を規定する検出角度を、縦置き状態における検出角度よりも広げるように変更する。さらに、送信部１９は、横置き状態が検出されると、カメラ１４により撮像した画像の上下左右を反転させて相手側テレビ電話に送信する。
【００６７】
テレビ電話１００を片手で持って使用する場合、又は膝の上に載せて使用する場合には、画面反転スイッチ２５により、横置き検出スイッチ（取っ手７）による検出結果に応じて画像の上下左右を反転させる自動モードから、底面２側を下にして画像を表示する第１手動モード、又は、底面２側を上にして表示する第２手動モードに切り換えて使用することができる。
【００６８】
テレビ電話１００を横置き状態にすると、緩やかに傾斜する正面１上のタッチパネル６を斜め上方から安定して操作できるので、電話帳情報等の入力が容易になる。
【００６９】
なお本実施の形態ではテレビ電話１００が本来のテレビ電話として動作する例を説明したが、本発明はこれに限定されない。テレビ電話１００をインターネットに接続し、コンテンツを閲覧表示することもできるように構成してもよい。この場合は、横置き状態にすると、安定した操作によりインターネットのＵＲＬ等を登録することができる。
【００７０】
また、テレビ電話機能の代わりに、又はテレビ電話機能に追加して、以下の機能を有するように構成してもよい。即ち、カメラ１４に写真撮影機能を持たせ、メモリカードスロット２８にメモリカードを装着し、撮影した写真のデータをメモリカードに蓄積し、蓄積した写真データをスライドショーとして画像表示部５に表示するように構成してもよい。この場合は、横置き状態にすると、撮影写真データの編集のための操作が容易になる。
【００７１】
また、横置き時にカメラ１４の動作を禁止するように構成してもよい。横置き時にカメラ１４を動作させると、テレビ電話の通話者を鼻の下側から撮像することとなるため、画像表示部に鼻の下側から見た通話者の画像が表示されることとなり、奇異な印象を与えるおそれがあるからである。
【００７２】
また、回動式の横置き検出スイッチ（取っ手７）を筐体４の背面３に設けた例を示したが、横置き検出スイッチは摺動式に構成してもよく、また底面２に設けてもよい。
【００７３】
また、ずれΔＹ２、ΔＹ３を補正量として算出する例を示したが、ずれΔＹ２、ΔＹ３は予めメモリに記憶しておいてもよい。
【００７４】
図１４は、本実施形態に係るテレビ電話の他の構成を示す右側面図である。筐体の背面は底面に対して厳密に垂直に形成されていなくてもよい。例えば図１４に示す例では、底面２に対して垂直な方向から約７度、正面１側に傾けて背面３Ａを形成した例を示している。
【００７５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００７６】
本発明は、電子機器に適用することができ、特に画像表示部と操作部とを正面に設けた電子機器に適用することができる。
【図面の簡単な説明】
【００７７】
【図１】本実施形態に係るテレビ電話の外観を示す正面図である。
【図２】本実施形態に係るテレビ電話の左側面図である。
【図３】本実施形態に係るテレビ電話の右側面図である。
【図４】本実施形態に係るテレビ電話の背面図である。
【図５】本実施形態に係るテレビ電話の横置き状態での斜視図である。
【図６】本実施形態に係るテレビ電話の構成を示すブロック図である。
【図７】本実施形態に係るテレビ電話を縦置き状態にしたときのタッチパネル入力座標補正方法を説明するための断面図である。
【図８】本実施形態に係るテレビ電話を横置き状態にしたときのタッチパネル入力座標補正方法を説明するための断面図である。
【図９】本実施形態に係るテレビ電話を縦置き状態にしたときのマイクの検出範囲を示す図である。
【図１０】本実施形態に係るテレビ電話を横置き状態にしたときのマイクの検出範囲を示す図である。
【図１１】本実施形態に係るテレビ電話の縦置きでの使用状態を説明するための側面図である。
【図１２】本実施形態に係るテレビ電話の横置きでの使用状態を説明するための側面図である。
【図１３】本実施形態に係るテレビ電話に印刷されたアイコンを説明するための図である。
【図１４】本実施形態に係るテレビ電話の他の構成を示す右側面図である。
【符号の説明】
【００７８】
１    正面
２    底面
３    背面
４    筐体
５    画像表示部
６    タッチパネル
７    取っ手（横置き検出手段、横置き検出スイッチ）
８    表示反転コントローラ
９    検出座標補正部
１０  座標検出部
１１  凹部
１２  回動軸
１３  スピーカ
１４  カメラ
１５  マイクユニット
１６  指向性マイク
１７  無指向性マイク
１８  マイクコントローラ
１９  送信部
２０  受信部
２１  メインコントローラ
１００  テレビ電話
Ａ２、Ａ３  傾斜角度
Ｄ２  奥行寸法
Ｄ３  高さ寸法
【図１】
2006339914.tif 000003
【図２】
2006339914.tif 000004
【図３】
2006339914.tif 000005
【図４】
2006339914.tif 000006
【図５】
2006339914.tif 000007
【図６】
2006339914.tif 000008
【図７】
2006339914.tif 000009
【図８】
2006339914.tif 000010
【図９】
2006339914.tif 000011
【図１０】
2006339914.tif 000012
【図１１】
2006339914.tif 000013
【図１２】
2006339914.tif 000014
【図１３】
2006339914.tif 000015
【図１４】
2006339914.tif 000016